【手続補正書】
【提出日】平成28年3月9日(2016.3.9)
【手続補正１】
【補正対象書類名】明細書
【補正対象項目名】００１０
【補正方法】変更
【補正の内容】
【００１０】
上記目的を達成するため、本発明に係る磁石式発電機は、回転可能に支持され、且つ、円周方向に配置された複数の磁石を有するロータと、このロータとの間に所定距離の隙間を介して配置され、かつ巻線部を形成させたコアを有するステータとを備え、前記巻線部の発電出力を、出力ケーブルを介して出力するように構成した。この構成において、前記巻線部及び前記出力ケーブルのうちの一方はアルミニウム線で形成し、前記巻線部のリード部分と前記出力ケーブルとを、前記コアをその軸方向に貫通して配置した、鉄又は銅合金で形成された中間接続部材を介して相互に接続し、前記中間接続部材は、一方に溶接用の突起部を有し、この突起部上で前記アルミニウム線が溶接されると共に、他方に前記リード部分または前記出力ケーブルのうちの他方がハンダ付けされる接続部分を有し、前記中間接続部材とアルミニウム線とが溶接される前記接続部分、及び、当該中間接続部材と前記リード部分または前記出力ケーブルのうちの他方がハンダ付けされる前記接続部分を、前記コアの軸方向の両側にそれぞれ突出させた状態に配置して前記双方の接続部分を相互に前記コアの軸方向の両側に隔絶させたことを特徴とする。
【手続補正２】
【補正対象書類名】明細書
【補正対象項目名】００１２
【補正方法】変更
【補正の内容】
【００１２】
【図１】本発明の磁石式発電機の第一実施形態に係る、図２に示す矢印Ｉの軸方向からみた側面図。
【図２】図１の矢印ＩＩ−ＩＩ線に沿った概略断面図。
【図３】本実施形態に係る磁石式発電機のステータを構成する積層板を示す側面図。
【図４】分割構造のボビンの一方を成すボビン分割体を示す斜視図。
【図５】ステータの巻線部の電気的な回路図。
【図６】ステータのコアに装備した巻線のバッテリ側及びアース側のリード部分を接続するための接続機構を示す部分断面図。
【図７】同図（Ａ）、（Ｂ）は第一実施形態に係る接続機構に用いる端子の側面図及び平面図。
【図８】第一実施形態に係る巻線部のリード部分を案内するガイド溝を説明する部分斜視図。
【図９】第一実施形態に係るガイド溝に案内された、巻線部のリード部分と端子との接続位置関係を説明する部分斜視図。
【図１０】同図（Ａ）、（Ｂ）は保護剤の塗布の仕方の変形例を説明する図。
【図１１】本発明の磁石式発電機の第二実施形態に係る側面図。
【図１２】図１１の矢印ＸＩＩ−ＸＩＩ線に沿った概略断面図。
【図１３】本実施形態に係る磁石式発電機のステータを構成する積層板を示す側面図。
【図１４】分割構造のボビンの一方を成すボビン分割体を示す斜視図。
【図１５】同図（Ａ）、（Ｂ）、（Ｃ）は第二実施形態に係る接続機構に用いる端子の側面図、平面図及び上面図。
【図１６】第二実施形態に係る巻線部のリード部分を案内するガイド溝を説明する部分斜視図。
【図１７】第二実施形態に係るガイド溝に案内された、巻線部のリード部分と端子との接続位置関係を説明する部分斜視図。
【図１８】第二実施形態に係るガイド溝に案内された、巻線部のリード部分と端子との接続位置関係を説明する他の部分斜視図。
【手続補正３】
【補正対象書類名】明細書
【補正対象項目名】００４０
【補正方法】変更
【補正の内容】
【００４０】
端子１０２の材質としては、出力ケーブル５とのハンダ付けを考慮して、鉄、真鍮などの、アルミニウム以外の金属が使用されることが一般的である。その場合、溶接部は異種金属同士の接触になり、腐食環境下では極めて腐食し易い。このため、上述した溶接された部分には、腐食防止と保護のために、保護剤が塗布されて保護部１３０が形成されている。保護剤としては、エポキシ樹脂またはシリコーン樹脂が使用される。
【手続補正４】
【補正対象書類名】特許請求の範囲
【補正対象項目名】全文
【補正方法】変更
【補正の内容】
【特許請求の範囲】
【請求項１】
回転可能に支持され、且つ、円周方向に配置された複数の磁石を有するロータと、
このロータとの間に所定距離の隙間を介して配置され、かつ巻線部を形成させたコアを有するステータとを備え、
前記巻線部の発電出力を、出力ケーブルを介して出力するように構成した磁石式発電機において、
前記巻線部及び前記出力ケーブルのうちの一方はアルミニウム線で形成し、
前記巻線部のリード部分と前記出力ケーブルとを、前記コアをその軸方向に貫通して配置した、鉄又は銅合金で形成された中間接続部材を介して相互に接続し、
前記中間接続部材は、一方に溶接用の突起部を有し、この突起部上で前記アルミニウム線が溶接されると共に、他方に前記リード部分または前記出力ケーブルのうちの他方がハンダ付けされる接続部分を有し、
前記中間接続部材とアルミニウム線とが溶接される前記接続部分、及び、当該中間接続部材と前記リード部分または前記出力ケーブルのうちの他方がハンダ付けされる前記接続部分を、前記コアの軸方向の両側にそれぞれ突出させた状態に配置して
前記双方の接続部分を相互に前記コアの軸方向の両側に隔絶させた
ことを特徴とする磁石式発電機。
【請求項２】
前記中間接続部材は、前記アルミニウム線を溶接可能な前記突起部が半円状に形成されており、
前記突起部は、前記コアの軸方向または軸方向に直交する方向に延びている、
ことを特徴とする請求項１に記載の磁石式発電機。
【請求項３】
前記中間接続部材を挿入可能な形状を有し、かつ電気的な絶縁性を有する成形体を備え、
この成形体に当該中間接続部材を挿入した状態で、当該成形体を前記コアに前記軸方向に沿って貫通させていることを特徴とする請求項１又は２に記載の磁石式発電機。
【請求項４】
前記巻線部はアルミニウム線を線材として形成されていることを特徴とする請求項１〜３の何れか一項に記載の磁石式発電機。
【請求項５】
前記出力ケーブルが銅線で形成されていることを特徴とする請求項４に記載の磁石式発電機。
【請求項６】
前記ステータは、前記コアを保持するボビンを有し、
前記巻線部は前記アルミニウム線で形成され、
前記ボビンは、前記巻線部を成すアルミニウム線の前記リード部分の先端部を、前記成形体に挿入された前記中間接続部材の端部に向けて案内するガイド溝又はガイド孔を有する、ことを特徴とする請求項３に記載の磁石式発電機。
【請求項７】
前記ボビンは、前記中間接続部材の端部と前記巻線部との間に板状の突起を有する、ことを特徴とする請求項６に記載の磁石式発電機。
【請求項８】
前記ボビンは、前記中間接続部材が挿通される開口部の周りに略円形の土手を有する、ことを特徴とする請求項６〜７の何れか一項に記載の磁石式発電機。
【請求項９】
前記ボビンは、前記中間接続部材が挿通される開口部に隣接して上記コアの軸方向に突出する突出部を設け、この突出部に上記ガイド溝又はガイド孔を設けたことを特徴とする請求項６〜８の何れか一項に記載の磁石式発電機。
【請求項１０】
前記ボビンは、前記ガイド溝又はガイド孔に隣接して第二の突起を設けたことを特徴とする請求項６〜９の何れか一項に記載の磁石式発電機。
【請求項１１】
前記アルミニウム線と前記中間接続部材との溶接部に保護剤を塗布したことを特徴とする請求項６〜１０の何れか一項に記載の磁石式発電機。
【請求項１２】
前記保護剤はエポキシ樹脂またはシリコーン樹脂であることを特徴とする請求項１１に記載の磁石式発電機。
【請求項１３】
前記成形体は、前記コアと一体に成形されていることを特徴とする請求項３に記載の磁石式発電機。
【請求項１４】
前記ステータは、円環状のコアと、このコアから当該コアの径方向に延接された複数のティースとを備え、
前記巻線部は、前記複数のティースそれぞれに巻き回され、且つ互いに電気的に接続された複数のコイルを含み、
前記リード部分は、前記複数のコイルから取り出されたリード部分である、ことを特徴とする請求項１〜１３の何れか一項に記載の磁石式発電機。
【請求項１５】
前記複数のコイルは互いに電気的に直列に接続されていることを特徴とする請求項１４に記載の磁石式発電機。